(57)【特許請求の範囲】
【請求項１】
電流制限器及び主幹ブレーカを収納する盤本体と、前記電流制限器の二次側端子と前記主幹ブレーカの一次側端子とを電気的に接続する導電部材とを備え、
前記盤本体は、前記電流制限器及び前記主幹ブレーカの各々の一次側端子が、同じ側となるように前記電流制限器及び前記主幹ブレーカを収納し、
前記導電部材は、前記電流制限器の二次側端子に接続された電力線の一端が接続され、前記電流制限器の二次側端子と同じ側に配置された電力線接続部を有することを特徴とする分電盤。
【請求項２】
外部より盤本体内部に導入された外部電源からの引込線が接続される入力端子と、前記入力端子と電気的に接続されるとともに前記電流制限器の一次側端子に接続される出力端子と、前記主幹ブレーカの一次側端子と電気的に接続されるブレーカ接続端子とを具備する端子台を備えることを特徴とする請求項１記載の分電盤。
【請求項３】
前記端子台は、前記入力端子及び前記出力端子と電気的に接続される予備用端子を有することを特徴とする請求項２記載の分電盤。
【発明の詳細な説明】
【技術分野】
【０００１】
本発明は、主幹ブレーカ及び電流制限器を搭載する分電盤に関するものである。
【背景技術】
【０００２】
従来、分電盤には、主幹ブレーカ及び分岐ブレーカとともに、主幹ブレーカの前段に接続され入力電流を契約アンペア値以下に制限する電流制限器を収納したものがある（例えば、特許文献１を参照）。
【０００３】
図６は、この種の分電盤を示す概略図であり、図６に示すように、分電盤１００内に電流制限器３０、主幹ブレーカ３１、及び、分岐ブレーカ３２が収容されている。この分電盤１００内において、電流制限器３０と主幹ブレーカ３１は並べて配置され、電流制限器３０の二次側と主幹ブレーカ３１の一次側との間は、電力線Ｌ１により電気的に接続されている。
【０００４】
ここで、電流制限器３０及び主幹ブレーカ３１は、何れも図６の上方側（分電盤１００の上側）に一次側端子が配列されるように配置されている。このように配置することで、例えば、電流制限器３０を用いない場合であっても、主幹ブレーカ３１や分電盤１００の設計を変更することなく、同じ主幹ブレーカ３１及び分電盤１００を利用することができる。
【先行技術文献】
【特許文献】
【０００５】
【特許文献１】特開２００１−１５７３２１号公報
【発明の概要】
【発明が解決しようとする課題】
【０００６】
しかしながら、図６に示すような分電盤では、電流制限器３０の下側に設けられた電流制限器３０の二次側の端子から、主幹ブレーカ３１の上側に設けられた主幹ブレーカ３１の一次側の端子まで電力線Ｌ１を配線する必要がある。そのため、分電盤１００は、この電力線Ｌ１を配線する為のスペースが必要となり、分電盤１００が大型化するとともに配線作業が困難であるという問題があった。
【０００７】
本発明は、上記事由に鑑みて為されたものであり、その目的とするところは、電流制限器と主幹ブレーカとの配線が容易で小型化が可能な分電盤を提供することにある。
【課題を解決するための手段】
【０００８】
上記目的を達成するために、本願の分電盤は、電流制限器及び主幹ブレーカを収納する盤本体と、電流制限器の二次側端子と主幹ブレーカの一次側端子とを電気的に接続する導電部材とを備え、盤本体は、電流制限器及び主幹ブレーカの各々の一次側端子が、同じ側となるように電流制限器及び主幹ブレーカを収納し、導電部材は、電流制限器の二次側端子に接続された電力線の一端が接続され、電流制限器の二次側端子と同じ側に配置された電力線接続部を有することを特徴とする。
【０００９】
この分電盤としては、外部より盤本体内部に導入された外部電源からの引込線が接続される入力端子と、入力端子と電気的に接続されるとともに電流制限器の一次側端子に接続される出力端子と、主幹ブレーカの一次側端子と電気的に接続されるブレーカ接続端子とを具備する端子台を備えることが好ましい。
【００１０】
また、この分電盤の端子台は、入力端子及び出力端子と電気的に接続される予備用端子を設けてもよい。
【発明の効果】
【００１１】
この分電盤によれば、電流制限器と主幹ブレーカとの配線が容易で小型化が可能となる。
【図面の簡単な説明】
【００１２】
【図１】本願の実施の形態にかかる分電盤を示す分解斜視図である。
【図２】同分電盤のカバーを外した状態を示す概略正面図である。
【図３】同分電盤の主幹ブレーカの取付部位を示す概略斜視図である。
【図４】同分電盤の主幹ブレーカの取付部位を別の角度から視た概略斜視図である。
【図５】同分電盤の要部を示し、（ａ）は正面図、（ｂ）は右側側面図、（ｃ）は左側側面図、（ｄ）は上面図である。
【図６】従来の分電盤を示す概略図である。
【発明を実施するための形態】
【００１３】
以下に本願の実施の形態を図１〜図５に基づいて説明を行う。本実施の形態にかかる分電盤１は、図１に示すように、ボディ１０ａ及びカバー１０ｂにより構成される盤本体１０を備え、その内部に電流制限器３０、主幹ブレーカ３１、及び、複数の分岐ブレーカ３２が収納されている。なお、以下の説明においては、図２における上下左右を分電盤１の上下左右とし、図２の紙面に垂直な方向を分電盤１の前後方向として説明を行う。
【００１４】
盤本体１０は、合成樹脂成形品からなり、前面が開口した箱状のボディ１０ａと、後面が開口した箱状のカバー１０ｂを備え、カバー１０ｂがボディ１０ａの前面側に取り付けられている。このカバー１０ｂは、盤本体１０内に収納される主幹ブレーカ３１や分岐ブレーカ３２などの一部を露出させる窓孔２１、２２を前面に備えている。
【００１５】
ボディ１０ａは、矩形枠状に形成された底板１１と、底板１１の外周縁の全周から前方に向かって突出する周壁１２とが一体に形成されている。この底板１１の中央には矩形状に形成された電線挿通用の窓孔１３が開口しており、後述する支持バー２３ａ、２３ｂが取り付けられている。
【００１６】
底板１１には、窓孔１３を挟んで左右両側に支持台１４ａ、１４ｂが１対ずつ設置されており、各支持台１４ａ、１４ｂの周囲には、底板１１の前方に突出したガイド壁１５ａ、１５ｂがそれぞれ形成されている。また支持台１４ａの下方側には、底板１１からの高さ寸法が支持台１４ａよりもやや高い寸法に設定された抜止ボス１６が設けられている。さらにガイド壁１５ｂの前方側の端面には、ガイド壁１５ｂの下端部から受け片１７が一体に形成されており、底板１１と受け片１７との間隔は、底板１１と支持台１４ｂとの間隔よりもやや広くなるように設定されている。
【００１７】
窓孔１３の上下の周縁部には、複数個の通し孔１９が左右方向に沿って所定の間隔で形成されており、窓孔１３を挟んで上下に対向する一対の通し孔１９、１９を用いて、窓孔１３の上下を物理的に連結する支持バー２３ａ、２３ｂが架設されている。この支持バー２３ａ、２３ｂは、両端部に設けたネジ孔２９と通し孔１９に固定ネジ（図示せず）を通し、この固定ネジをボディ１０ａの背面側に配置されたナット（図示せず）と螺合する。これにより、支持バー２３ａ、２３ｂはボディ１０ａにねじ止めされ、窓孔１３を挟んで対向する底板１１の上下間が支持バー２３ａ、２３ｂにより連結されている。
【００１８】
この支持バー２３ａ、２３ｂには、底板１１に設けられた支持台１４ａ、１４ｂと同形状の支持台２４ａ、２４ｂが設けられている（図１及び図３を参照）。この支持台２４ａ、２４ｂと、支持台１４ａ、１４ｂは、それぞれ底板１１からの前後方向高さ寸法が等しくなるように設定されている。また同様に、この支持台２４ａ、２４ｂの近傍には、ガイド壁１５ａ、１５ｂ、抜止ボス１６、及び、受け片１７とそれぞれ同形状のガイド壁２５ａ、２５ｂ、抜止ボス２６、及び、受け片２７が設けられている。
【００１９】
またボディ１０ａには、右側に配置された支持バー２３ｂの支持台２４ａ、２４ｂと、窓孔１３の右側縁部に設けられた支持台１４ａ、１４ｂの間に架台４０が取り付けられている。この架台４０は、分岐ブレーカ３２を左右方向に２０個ずつ上下２列に並べて配置することが可能な寸法に設定されており、本実施の形態では、左右方向に１７個ずつ（計３４個）の分岐ブレーカ３２が左側から並べられている。なお、分岐ブレーカ３２が配置されない領域にはスペーサ３３が取り付けられ、カバー１０ｂを取り付けた際に、カバー１０ｂの窓孔２１からスペーサ３３の一部が露出し、ボディ１０ａの内部が見えないように設定されている。
【００２０】
またボディ１０ａは、後述する端子台７０や主幹ブレーカ３１などが前面に搭載され、支持バー２３ａ及び支持バー２３ｂの各々の支持台２４ａ、２４ｂに取り付けられた主幹用取付板５０を備えている。この主幹用取付板５０は、鉄板により上下方向を長手方向とする矩形板状に形成されており、主幹用取付板５０の上下の幅寸法は、窓孔１３の上下の幅寸法よりも狭い寸法に形成されている。
【００２１】
主幹用取付板５０の上辺の縁部には、支持バー２３ａ、２３ｂの各々の支持台２４ａと連結する一対の連結片５１ａ、５１ｂが左右方向に突設されている（図３〜図５を参照）。また下方側には、支持バー２３ａ、２３ｂの各々の支持台２４ｂと連結する一対の連結片５２ａ、５２ｂが左右方向に突設されている。各連結片５１ａ、５１ｂ、５２ａ、５２ｂには、主幹用取付板５０を支持バー２３ａ、２３ｂに取り付けるためのネジ相通孔５３が設けられている。また、左側に突設した連結片５１ａには、このネジ相通孔５３と連通し、ネジ相通孔５３よりも大きな径に設定された位置決め用のだるま孔５４が設けられている。
【００２２】
この主幹用取付板５０を支持バー２３ａ、２３ｂに取り付ける際には、ガイド壁２５ａ、２５ｂを用いて、抜止ボス２６がだるま孔５４に挿通するように主幹用取付板５０の位置決めを行う。その後、各ネジ相通孔５３を用いて支持台２４ａ、２４ｂに主幹用取付板５０をねじ止めする。このとき、下側の連結片５２ａ、５２ｂの一部が受け片２７の後面側に重なるように配置することで、取付用のネジの一部が外れても受け片２７で主幹用取付板５０の荷重を受けることができる。
【００２３】
この主幹用取付板５０に搭載される端子台７０は、図２に示すように、分電盤１の外部からの引込線（図示せず）が接続される入力端子７１（７１ａ〜７１ｃ）と、各入力端子７１と電気的に接続された出力端子７２（７２ａ〜７２ｃ）を備える。この端子台７０は、単相三線式の商用電源が接続される端子台であり、中央の入力端子７１ｂには中性線が接続され、他の入力端子７１ａ、７１ｃにはそれぞれ外線が接続される。入力端子７１と出力端子７２との間には、入力端子７１及び出力端子７２に接続される電線が干渉しないように物理的な段差が設けられており、入力端子７１ａ、７１ｂ、７１ｃの各々の間には、前方側に突出した仕切板７３が設けられている。各出力端子７２に電力線Ｌ１を接続するためのネジ孔は、左右方向に長い長孔に形成されており、各入力端子７１に電力線が接続されている状態であっても、この電力線と重ならない位置で各出力端子７２に電力線Ｌ１を接続することができる。これにより、各出力端子７２に電力線を配線する際の作業効率や視認性を向上している。
【００２４】
各々の出力端子７２（７２ａ〜７２ｃ）には、図２に示すように、後述する電流制限器３０の一次側に接続された電力線Ｌ１が接続され、引込線を介して入力された商用電力が電流制限器３０に供給される。また、出力端子７２のうち、一方の外線が接続される出力端子７２ａと中性線が接続される出力端子７２ｂは、それぞれ主幹ブレーカ３１の左側まで延出され、それぞれ予備用接続端子７４ａ、７４ｂを一体に形成している（図３を参照）。この予備用接続端子７４ａ、７４ｂには、二次側に例えば電気温水器などの機器が接続されるブレーカ３４の一次側に入力されており、これらの機器に電流制限器３０を介さずに電力の供給を行うことができる。
【００２５】
また主幹用取付板５０に搭載された主幹ブレーカ３１は、その一次側端子３５（３５ａ〜３５ｃ）が端子台７０側、すなわち、分電盤１の上方側となるように、端子台７０の下方側に配置されている。中性極となる一次側端子３５ｂと一方の電圧極となる一次側端子３５ａは、それぞれ主幹ブレーカ３１の左側であって予備用端子７４ａ、７４ｂに接続されるブレーカ３４の右側まで延出され、ブレーカ接続端子７５ａ、７５ｂを一体に形成している。このブレーカ接続端子７５ａ、７５ｂには、一次送りブレーカ３６の一次側が接続されており、主幹ブレーカ３１を介さずに電力の供給を行うことができる。
【００２６】
また主幹ブレーカ３１の下方側には、接続端子台８０が設けられている。この接続端子台８０は、例えば樹脂成形品からなり、主幹用取付板５０の背面側から主幹用取付板５０の縁部に取り付けられている。接続端子台８０は、主幹ブレーカ３１の各一次側端子３５と電気的にそれぞれ接続される３本の導電バー８１をそれぞれ別個に通すためのスリット８２が設けられている（図４を参照）。
【００２７】
導電バー８１は、導電性の高い平板状の金属を略Ｌ字状に折り曲げ加工したものであり、その一端は主幹ブレーカ３１の一次側端子３５と電気的に接続されている。また導電バー８１は、主幹用取付板５０に設けられた窓孔５３から主幹用取付板５０の後方側を通し、他方の端部８１ａがスリット８２から前面側に露出するように配置されている。この端部８１ａには、ネジ孔８１ｂが設けられており、電流制限器３０の二次側端子３０ｂに一端が接続された電力線Ｌ２の他端が端部８１ａの前面側からねじ止めにより固定されている（図２を参照）。ここで隣り合う各々の端部８１ａは、前後方向に段差が設けられた状態で配置されており、電力線Ｌ２を電流制限器３０側からボディ１０ａの下側の壁面と略平行に接続することが出来る。なお、各々の端部８１ａは、上下方向の位置が重ならないように配置してもよく、各端部８１ａ間に絶縁を目的とした仕切りを設けるようにしてもよい。
【００２８】
またボディ１０ａには、支持バー２３ａの支持台２４ａ、２４ｂと、窓孔１３の左側縁部に設けられた支持台１４ａ、１４ｂに、電流制限器３０を搭載する為の台座６０が取り付けられている。この台座６０は、台座６０の左右の側面から一対の係止突起６１、６１がそれぞれ突設されている。右側の係止突起６１、６１を支持バー２３ａの側面に設けられたスリット２８に挿通させ、左側の係止突起６１、６１を窓孔１３の左側縁部に設けられたネジ孔を用いて台座６０をボディ１０にねじ止めする。これにより台座６０は、支持バー２３ａ及びボディ１０ａに支持されボディ１０ａに固定されている。
【００２９】
電流制限器３０は、この台座６０の前面側に配置され、支持バー２３ａの支持台２４ａ、２４ｂ及び、窓孔１３の左側縁部に設けられた支持台１４ａ、１４ｂを用いて取り付けられる。この取付方法に関しては、主幹用取付板５０を取り付ける方法と同じであるので、詳細な説明は省略する。
【００３０】
電流制限器３０は、一次側端子３０ａが分電盤の上方側、二次側端子３０ｂが分電盤の下方側となるように配置されており、一次側端子３０ａは端子台７０の各入力端子７１と電線Ｌ１を介して接続されている。また二次側端子３０ｂは、各導電バー８１の端部８１ａと電力線Ｌ２を介して接続されており、この電力線Ｌ２及び導電バー８１を介して、主幹ブレーカ３１の一次側と電気的に接続されている。これにより、引込線を介して入力される商用電源は、電流制限器３０によりその電流値が制限され、電力線Ｌ２及び導電バー８１を介して主幹ブレーカ３１に入力され、主幹ブレーカ３１から各分岐ブレーカ３２に分岐される。
【００３１】
上述のように、電流制限器３０の二次側端子３０ｂに接続された電力線Ｌ２は、主幹ブレーカ３１の一次側端子３５まで取り回す必要が無く、主幹ブレーカ３１の下方側に設けられた導電バー８１の端部８１ａ（導電材料の電力線接続部）まで配線すればよい。これにより電流制限器３０と主幹ブレーカ３１との配線が容易となり、分電盤１の小型化が可能となる。
【００３２】
また、主幹ブレーカ３１の一次側端子３５ａ、３５ｂを延出させてブレーカ接続端子７５ａ、７５ｂを形成しているので、ブレーカ接続端子７５ａ、７５ｂに接続される分岐回路（例えば住宅情報盤）に主幹ブレーカ３１を介さずに電力の供給ができる。
【００３３】
さらに出力端子７２ａ、７２ｂを延出させた予備用接続端子７４ａ、７４ｂを備えているので、予備用接続端子７４ａ、７４ｂに接続される分岐回路（例えば電気温水器などの機器）に電流制限器３０を介さずに電力の供給を行うことができる。
【符号の説明】
【００３４】
１          分電盤
１０        盤本体
１０ａ      ボディ
３０        電流制限器
３０ａ      一次側端子
３０ｂ      二次側端子
３１        主幹ブレーカ
３５（３５ａ、３５ｂ、３５ｃ）  一次側端子
３２        分岐ブレーカ
８０        接続端子台
８１        導電バー（導電材料）
８１ａ      端部（電力線接続部）
【図１】
0005552039.tif 000002
【図２】
0005552039.tif 000003
【図３】
0005552039.tif 000004
【図４】
0005552039.tif 000005
【図５】
0005552039.tif 000006
【図６】
0005552039.tif 000007